(57)【要約】【課題】複数の負荷装置に対する電源供給を制御可能で、負荷装置及び電源装置の安定運用が可能な電源制御装置を提供する。【解決手段】負荷装置１４は、電源供給線１５を介して、電源装置１１に並列に接続される。信号重畳装置１２は、各負荷装置に対する制御信号を、電源供給線１５に重畳する。負荷制御装置１３は、電源供給線１５から制御信号を取り出し、取り出した制御信号に従って、負荷装置１４への電源供給を制御する。制御信号には、負荷制御装置１３での遅延時間を指定する情報が含まれる。複数の負荷装置１４に対して同時に電源供給を開始するときは、負荷制御装置１３は、制御信号で指定された遅延時間に従って、負荷制御装置１３ごとに異なる遅延時間で電源供給開始を遅延することで、電源供給タイミングが重ならないようにする。【選択図】図１
2008252961.tif 000002
【特許請求の範囲】
【請求項１】
電源装置が生成する電源電圧を、電源供給線を介して、複数の負荷装置に対して並列に供給するシステムにおける電源制御装置において、
電源制御対象の負荷装置に対する電源制御内容を含む制御信号で、各負荷装置に対応する周波数の搬送波を変調し、前記電源供給線に重畳する信号重畳装置と、
前記複数の負荷装置のそれぞれに対応して配置され、前記電源供給線から、負荷装置に対応する周波数成分の信号を分離して制御信号を復調し、該復調した制御信号に基づいて、前記負荷装置に対する電源供給を制御する複数の負荷制御装置とを有し、
前記負荷制御装置は、複数の負荷装置に対して同時に電源供給が開始されるときには、前記負荷装置ごとに異なる遅延時間で電源供給開始を遅らせ、各負荷装置への電源供給タイミングをずらすことを特徴とする電源制御装置。
【請求項２】
前記信号重畳装置が、前記制御信号を生成する制御信号生成器と、各負荷装置に対応する周波数の搬送波を、前記生成された制御信号を変調する変調器と、前記搬送波に変調された制御信号を前記電源供給線に重畳する重畳器とを含む、請求項１に記載の電源制御装置。
【請求項３】
前記負荷制御装置が、前記電源供給線から、負荷装置に対応する周波数の信号を分離する信号分離器と、前記分離された信号を復調して前記制御信号を取り出す信号受信器と、前記取り出された制御信号に基づいて、前記負荷装置に対する電源供給を制御する制御器とを含む、請求項２に記載の電源制御装置。
【請求項４】
前記制御信号が、前記遅延時間を指定する情報を含み、前記制御器は、前記制御信号に含まれる遅延時間を指定する情報に基づいて、前記負荷装置に電源供給を開始するタイミングを遅らせる、請求項３に記載の電源制御装置。
【請求項５】
前記制御信号生成器は、電源供給を開始する負荷装置が複数あるか否かを判断し、複数あるときには、当該複数の負荷装置に対する制御信号に、負荷装置ごとに異なる遅延時間を指定する情報を含める、請求項４に記載の電源制御装置。
【請求項６】
前記制御器は、制御器ごとに異なる遅延時間が設定されており、前記負荷装置への電源供給開始に際しては、各制御器に設定された遅延時間だけ前記負荷装置への電源供給開始を遅らせる、請求項３に記載の電源制御装置。
【請求項７】
電源装置が生成する電源電圧を、電源供給線を介して、複数の負荷装置に対して並列に供給するシステムにおける電源制御方法において、
電源制御対象の負荷装置に対する電源制御内容を含む制御信号で、各負荷装置に対応する周波数の搬送波を変調して、前記電源供給線に重畳し、
前記電源供給線から、負荷装置に対応する周波数成分の信号を分離して前記制御信号を復調し、該復調した制御信号に基づいて、前記負荷装置に対する電源供給を制御し、
複数の負荷装置に対して同時に電源供給が開始されるときには、前記負荷装置ごとに異なる遅延時間で電源供給開始を遅らせ、各負荷装置への電源供給タイミングをずらすことを特徴とする電源制御方法。
【請求項８】
前記制御信号が、前記遅延時間を指定する情報を含み、前記負荷装置への電源供給開始に際しては、前記制御信号に含まれる遅延時間を指定する情報に基づいて、前記負荷装置に電源供給を開始するタイミングを遅らせる、請求項７に記載の電源制御方法。
【請求項９】
前記制御信号の生成に際して、電源供給を開始する負荷装置が複数あるか否かを判断し、複数あるときには、当該複数の負荷装置に対する制御信号に、負荷装置ごとに異なる遅延時間を指定する情報を含める、請求項８に記載の電源制御方法。
【発明の詳細な説明】
【技術分野】
【０００１】
本発明は、電源制御装置及び方法に関し、更に詳しくは、複数の並列負荷装置に対する電源供給を制御する電源制御装置及び方法に関する。
【背景技術】
【０００２】
電源装置から、遠方にある負荷装置の電源を制御することを考える。この場合、電源装置から、各負荷装置に電源供給線を介して電源を供給すると共に、制御線を介して、各負荷装置の電源スイッチの開閉を指示することで、並列負荷の電源の制御が可能である。しかし、この方式では、電源装置と各負荷装置との間に、電源供給線に加えて、制御線が必要となるため、配線が複雑化するという問題がある。
【０００３】
上記問題に対し、電源供給線とは別に制御線を用意しなくても、負荷装置の電源制御が可能な技術が、特許文献１に記載されている。特許文献１では、電源供給線に、複数の周波数が異なる信号を重畳し、各負荷装置にて、電源供給線に重畳された複数の周波数の信号から、自身に割り当てられた周波数の信号を取り出し、電源制御を行う。この方式では、電源供給線のみで、電源供給と負荷装置の制御とを行うことができ、配線を簡素化できる。
【０００４】
ここで、電源装置から複数の負荷回路への電源供給に関し、電源投入時の突入電流を抑えることができる技術が、特許文献２に記載されている。図６に、特許文献２に記載の電子装置の構成を示す。電源部２０１は、複数の回路基板２０２−１〜２０２−ｎに電源線２０３を介して並列に接続されており、各回路基板２０２に、電源供給を行う。回路番号設定部２０４は、各回路基板２０２に、回路番号情報線２０５−１〜２０５−ｎを介して、回路番号を入力する。各回路基板２０２内のタイマ２０６は、回路番号情報線２０５を介して入力される回路番号情報により、制御信号２０８の出力タイミングを決定する。スイッチ素子２０７は、制御信号２０８に基づいて、内部回路への電源供給を行う。
【０００５】
電源部２０１が電源供給を開始すると、各回路基板２０２では、タイマ２０６が動作を開始する。各回路基板２０２に、相互に異なる回路番号が設定されることで、制御信号２０８の出力タイミングは、回路基板２０２ごとに異なるタイミングとなる。これにより、各回路基板２０２内のスイッチ素子２０７がオンするタイミングは、回路基板ごとに異なるタイミングとなる。特許文献２では、このように、各回路基板２０２に設定した回路番号によって、タイマ２０６でのタイムアウト発生タイミングを、回路基板２０２ごとに異なるタイミングとし、内部回路への電源供給を開始するタイミングをずらしている。特許文献２では、これにより、電源投入時の突入電流を低くおさえ、電源装置の低価格化と小容量ヒューズによる安全性の向上が得られるとしている。
【特許文献１】特開昭５９−２０９０３１号公報
【特許文献２】特開昭６１−１７０２３４号公報
【発明の開示】
【発明が解決しようとする課題】
【０００６】
特許文献１に記載の技術で、複数の並列負荷に対して同時に電源供給を開始（電源スイッチを閉制御）することを考える。図７に、電源投入時の電圧・電流変化の様子を示す。複数の並列負荷に対して、同時に電源供給を開始すると、電源装置の供給能力が比較的低いときには、電源投入時のコンデンサ充電に伴う各負荷装置の突入電流のピークが重なることで、電源装置から供給される電圧が垂直に低下する。この電圧低下によって、電圧が、負荷動作限界電圧を下回ると、各負荷装置の内部電源部が不安定になり、運用停止となる可能性があった。
【０００７】
特許文献１に記載の技術は、電源を開閉することのみを制御目的としており、複数負荷装置に対して電源供給を開始する際の電圧低下については考慮されていない。従って、電源供給開始時に、電源電圧が急激に低下して、負荷装置及び電源装置の運用が不安定になることがある。特許文献２は、電源部が電源供給を開始すると、タイマが動作を開始し、タイマからの制御信号によってスイッチ素子を制御し、内部回路への電源供給を開始する。つまりは、電源部の電源供給開始によって、全ての回路基板に、電源が供給される構成であり、複数の回路基板に対して、個別に、電源供給の開始／停止を制御する構成ではない。
【０００８】
本発明は、複数の負荷装置に対する電源供給を制御可能で、負荷装置及び電源装置の安定運用が可能な電源制御装置及び方法を提供することを目的とする。
【課題を解決するための手段】
【０００９】
上記目的を達成するために、本発明の本発明の電源制御装置は、電源装置が生成する電源電圧を、電源供給線を介して、複数の負荷装置に対して並列に供給するシステムにおける電源制御装置において、電源制御対象の負荷装置に対する電源制御内容を含む制御信号で、各負荷装置に対応する周波数の搬送波を変調し、前記電源供給線に重畳する信号重畳装置と、前記複数の負荷装置のそれぞれに対応して配置され、前記電源供給線から、負荷装置に対応する周波数成分の信号を分離して制御信号を復調し、該復調した制御信号に基づいて、前記負荷装置に対する電源供給を制御する複数の負荷制御装置とを有し、前記負荷制御装置は、複数の負荷装置に対して同時に電源供給が開始されるときには、前記負荷装置ごとに異なる遅延時間で電源供給開始を遅らせ、各負荷装置への電源供給タイミングをずらすことを特徴とする。
【００１０】
本発明の電源制御方法は、電源装置が生成する電源電圧を、電源供給線を介して、複数の負荷装置に対して並列に供給するシステムにおける電源制御方法において、電源制御対象の負荷装置に対する電源制御内容を含む制御信号で、各負荷装置に対応する周波数の搬送波を変調して、前記電源供給線に重畳し、前記電源供給線から、負荷装置に対応する周波数成分の信号を分離して前記制御信号を復調し、該復調した制御信号に基づいて、前記負荷装置に対する電源供給を制御し、複数の負荷装置に対して同時に電源供給が開始されるときには、前記負荷装置ごとに異なる遅延時間で電源供給開始を遅らせ、各負荷装置への電源供給タイミングをずらすことを特徴とする。
【００１１】
本発明の電源制御装置及び方法では、負荷装置に対する制御信号で、各負荷装置に対応した周波数の搬送波を変調し、これを電源装置から、並列に接続された複数の負荷装置に電源を供給するための電源供給線に重畳する。各負荷装置に対応する負荷制御装置は、電源供給線から、制御対象の負荷装置に対応する周波数成分を分離して制御信号を復調し、負荷装置に対する電源供給を制御する。複数の負荷装置に対して、同時に電源供給を開始する際に、同時に電源供給を開始する負荷装置ごとに異なる遅延時間で電源供給開始タイミングを遅らせることで、複数の負荷装置に対して同一タイミングで電源供給が開始されることを回避することができる。これにより、電源供給開始時の突入電流がピークとなるタイミングを負荷装置ごとにずらすことができ、電源装置から複数の負荷装置に対して並列に供給される電源電圧が、突入電流によって急激に低下することを防ぐことができる。
【００１２】
本発明の電源制御装置では、前記信号重畳装置が、前記制御信号を生成する制御信号生成器と、各負荷装置に対応する周波数の搬送波を、前記生成された制御信号を変調する変調器と、前記搬送波に変調された制御信号を前記電源供給線に重畳する重畳器とを含む構成を採用することができる。
【００１３】
本発明の電源制御装置では、前記負荷制御装置が、前記電源供給線から、負荷装置に対応する周波数の信号を分離する信号分離器と、前記分離された信号を復調して前記制御信号を取り出す信号受信器と、前記取り出された制御信号に基づいて、前記負荷装置に対する電源供給を制御する制御器とを含む構成を採用できる。
【００１４】
本発明の電源制御装置及び方法では、前記制御信号が、前記遅延時間を指定する情報を含み、前記負荷装置への電源供給開始に際しては、前記制御信号に含まれる遅延時間を指定する情報に基づいて、前記負荷装置に電源供給を開始するタイミングを遅らせる構成を採用できる。例えば、同時に電源供給を開始する負荷装置が３台あるときには、各負荷装置に対する制御信号に、遅延時間を指定する情報として、それぞれ０秒（遅延なし）、０．１秒、０．２秒を含める。この場合、制御信号を受信した負荷制御装置にて、それぞれ０秒、０．１秒、０．２秒だけ遅延して電源供給を開始することで、複数の負荷装置に対する電源供給開始タイミングを、相互にずらすことができる。
【００１５】
本発明の電源制御装置及び方法では、前記制御信号の生成に際して、電源供給を開始する負荷装置が複数あるか否かを判断し、複数あるときには、当該複数の負荷装置に対する制御信号に、負荷装置ごとに異なる遅延時間を指定する情報を含める構成を採用できる。この場合、各負荷制御装置が、負荷装置への電源供給開始タイミングを、負荷装置ごとに異なる時間とすることで、複数の負荷装置に対する電源供給開始タイミングを、相互にずらすことができる。同時に電源供給を開始する負荷装置が他にない場合、つまりは、１台の負荷装置のみに対して電源供給を開始する際には、制御信号に、遅延なしを指定する情報を含めればよい。
【００１６】
本発明の電源制御装置では、前記制御器は、制御器ごとに異なる遅延時間が設定されており、前記負荷装置への電源供給開始に際しては、各制御器に設定された遅延時間だけ前記負荷装置への電源供給開始を遅らせる構成を採用できる。この場合にも、複数の負荷装置に対する電源供給開始タイミングを、相互にずらすことができる。
【発明の効果】
【００１７】
本発明の電源制御装置及び方法では、信号重畳装置により、電源供給線に、各負荷装置に対する制御信号を重畳し、各負荷装置に対応する負荷制御装置により、負荷装置への電源供給を制御する。負荷制御装置により、複数の負荷装置に対して同時に電源供給を開始する際には、負荷装置ごとに異なる遅延時間で電源供給開始を遅らせ、電源供給タイミングをずらすことで、電源装置の供給能力が比較的に低いときに生じる、電源投入時の負荷のコンデンサ充電に伴う突入電流による電源電圧の急激な低下を防ぐことができ、電源装置及び各負荷装置を、安定的に運用することができる。
【発明を実施するための最良の形態】
【００１８】
以下、図面を参照し、本発明の実施の形態を詳細に説明する。図１は、本発明の一実施形態の電源制御装置を含むシステム全体の構成を示している。電源制御装置は、信号重畳装置１２と、負荷制御装置１３とを備える。電源装置１１は、電源供給線１５を介して、ｎ個の負荷装置１４−１〜１４−ｎに対して電源供給を行う。信号重畳装置１２は、電源供給線１５に、各負荷装置１４に対する電源供給を制御するための制御信号を重畳する。負荷制御装置１３−１〜１３−ｎは、負荷装置１４−１〜１４−ｎに対応して配置されており、電源供給線１５に重畳された制御信号を取り出し、対応する負荷装置１４の電源制御を行う。負荷装置１４は、例えば、移動体通信システムにおける無線基地局装置である。
【００１９】
電源装置１１は、電源供給線１５を介して、複数の負荷装置１４−１〜１４−ｎに接続されており、各負荷装置の運用に必要な所定の電源電圧を生成する。信号重畳装置１２は、複数の異なる周波数の搬送波を、それぞれ、各負荷装置１４の電源制御を行うための制御信号で変調し、搬送波の周波数成分の信号に変調された制御信号を、電源供給線１５に重畳する。搬送波の周波数は、負荷装置１４の数又はそれ以上の数だけ用意されており、どの周波数がどの負荷装置１４に対応するかは、あらかじめ対応付けられている。各負荷制御装置１３は、電源供給線１５から、特定周波数成分の信号を分離し、分離した信号から制御信号を取り出して、対応する負荷装置１４に対する電源供給を制御する。負荷制御装置１３は、具体的には、負荷装置１４への電源供給の開始、又は、電源供給の停止を行う。
【００２０】
図２は、信号重畳装置１２の構成を示している。信号重畳装置１２は、重畳器２１、変調器２２、及び、制御信号生成器２３を有する。制御信号生成器２３は、電源制御対象の負荷装置１４に対して、制御内容を含む制御信号を生成する。変調器２２は、各負荷装置１４に対応する複数の特定周波数の搬送波を、それぞれ、制御信号生成器２３が生成した制御信号で変調する。このとき、変調器２２は、電源制御対象の負荷装置１４に対する制御信号で、その負荷装置１４に対応した周波数の搬送波を変調する。例えば、負荷装置１４−１に対する制御信号で、負荷装置１４−１に対応する特定周波数の搬送波を変調する。また、負荷装置１４−２に対する制御信号で、負荷装置１４−２に対応する別の特定周波数の搬送波を変調する。重畳器２１は、変調器２２によって搬送波に乗せられた制御信号を、電源供給線１５に重畳する。
【００２１】
図３は、負荷制御装置１３の構成を示している。負荷制御装置１３は、信号分配器３１、信号受信器３２、制御器３３、及び、切替器３４を有する。信号分配器３１は、電源供給線１５から、電源装置１１が出力する電源電圧と、信号重畳装置１２にて重畳された信号とを分離する。このとき、信号分配器３１は、電源供給線１５から、制御対象の負荷装置１４に対応する周波数成分の信号を分離する。例えば、負荷装置１４−１に対応する負荷制御装置１３−１の信号分配器３１は、電源供給線１５から、負荷装置１４−１に対応する周波数成分のみを分離する。信号分配器３１は、分離した電源電圧を切替器３４に供給し、信号重畳装置１２にて重畳された信号のうちの特定周波数成分の信号を、信号受信器３２に渡す。
【００２２】
信号受信器３２は、信号分配器３１により分離された信号を受け取り、信号重畳装置１２にて変調された制御信号を復調する。電源供給線１５には、複数の負荷装置１４に対応して、複数の周波数成分の信号が重畳されるが、信号分配器３１にて、複数の周波数成分のうちで、対応する周波数成分のみを分離することで、信号受信器３２は、制御対象の負荷装置１４に対する制御信号のみを受信することになる。信号受信器３２は、制御信号を変調すると、その制御信号を、制御器３３が解釈可能なインタフェース信号に変換して出力する。
【００２３】
制御器３３は、信号受信器３２からインタフェース信号を受け取り、受け取ったインタフェース信号に基づいて、切替器（電源スイッチ）３４を制御し、負荷装置１４に対する電源供給を制御する。制御器３３は、内部にタイマを有しており、切替器３４を制御するタイミングを、タイマでのタイムアウト発生タイミングまで遅らせる機能を有する。信号重畳装置１２から送信される制御信号には、電源オン／オフに関する制御情報と、タイマによる遅延時間を指定する情報とが含まれており、制御器３３内のタイマがタイムアウト発生するまでの間の時間は、制御信号によって指定された遅延時間に設定される。
【００２４】
以下、３つの負荷装置１４（１４−１、１４−２、１４−３）に対して電源供給を開始する際の動作について説明する。移動体通信システムの電源装置１１と、複数の無線基地局装置（負荷装置１４−１〜１４−ｎ）との間の電源供給線１５上に、信号重畳装置１２及び負荷制御装置１３−１〜１３−ｎの設置準備が整い、電源装置１１からの電源投入（運用開始）待ちとなる。また、信号重畳装置１２には、複数の負荷装置のうちで、３つの負荷装置１４−１〜１４−３の電源投入を行う旨の信号（設定）が入力される。この設定は、例えばタイマ起動による電源投入開始の設定でもよく、或いは、人手による電源投入の設定であってもよい。
【００２５】
信号重畳装置１２では、制御信号生成器２３（図２）により、負荷装置１４−１〜１４−３に対応する負荷制御装置１３−１〜１３−ｎに対して、電源供給を開始する旨の制御信号が生成される。変調器２２は、制御信号生成器２３にて生成された制御信号で、各負荷装置１４に対応した搬送波を変調する。変調によって得られた各周波数成分の信号は、重畳器２１により、電源供給線１５に重畳される。搬送波の周波数としては、接続する負荷制御装置１３（負荷装置１４）の数よりも多い数の周波数が用意されており、各搬送波の周波数は、負荷制御装置１３内の信号分配器３１（図３）で、特定周波数の搬送波を分離する際の周波数に対応している。例えば、搬送波として、１ＭＨｚ、２ＭＨｚ、３ＭＨｚの搬送波を用意し、これを３つの負荷装置１４−１〜１４−３に対応させ、負荷装置１４−１〜１４−３に対応する負荷制御装置１３−１〜１３−３の信号分配器３１にて、１ＭＨｚ、２ＭＨｚ、３ＭＨｚの周波数成分を分離することで、３つの負荷装置１４−１〜１４−３に対する電源制御を独立に行う。
【００２６】
図４に、電源供給線１５を伝播する信号の周波数スペクトルを示す。電源装置１１が生成する電源電圧が直流であるとすれば、周波数０の成分は、電源電圧に相当する。電源供給線１５を伝播する信号は、この成分の他に、制御信号の変調に用いられる各搬送波の周波数成分を有する。各負荷制御装置１３の信号分配器３１は、特定周波数成分のみを通過し、それ以外の周波数成分を遮断するフィルタなどを用いて、電源供給線１５に重畳された複数の周波数成分の信号の中から、所望の周波数成分の信号のみを取り出す。例えば、負荷制御装置１３−１の信号分配器３１は、１ＭＨｚの周波数成分のみを通過させ、負荷制御装置１３−２の信号分配器３１は、２ＭＨｚの周波数成分のみを通過させる、また、負荷制御装置１３−３の信号分配器３１は、３ＭＨｚの周波数成分のみを通過させる。
【００２７】
制御信号生成器２３は、切替器３４の開閉に関する情報と、制御器３４におけるタイマによる遅延時間に関する情報とを、制御信号に含める。タイマによる遅延時間は、例えば以下のようにして決定する。まず、制御信号生成器２３は、制御信号の生成に際して、同時に電源供給を開始する負荷装置１４が複数あるか否かを調べる。電源供給を開始する負荷装置１４が１つであるときには、タイマによる遅延時間を「０」に設定する。或いは、遅延時間に関する情報を含めないとしてもよい。複数ある場合には、各負荷装置１４の電源供給開始タイミングをずらすために、各負荷制御装置１３に対応する制御信号に含まれるタイマによる遅延時間を、負荷制御装置１３ごとに異なる時間に設定する。
【００２８】
具体的には、負荷装置１４−１に対して、「切替器：閉（電源投入）」、「遅延時間：０（遅延なし）」を含む制御信号を生成し、負荷装置１４−２に対して、「切替器：閉」、「遅延時間：０．１秒」を含む制御信号を生成し、負荷装置１４-３に対して、「切替器：閉」、「遅延時間：０．２秒」を含む制御信号を生成する。変調器２２は、これら制御信号で、それぞれ、１ＭＨｚ、２ＭＨｚ、３ＭＨｚの搬送波を変調する。この場合、負荷制御装置１３−１は、信号分配器３１にて１ＭＨｚの周波数成分を分離して負荷装置１４−１に対する制御信号を受信し、制御器３３により、切替器３４を、遅延なしで「閉」に制御する。また、負荷制御装置１３−２は、信号分配器３１にて２ＭＨｚの周波数成分を分離して負荷装置１４−２に対する制御信号を受信し、制御器３３により、制御信号の受信タイミングから０．１秒遅いタイミングで、切替器３４を「閉」に制御する。負荷制御装置１３−３は、信号分配器３１にて３ＭＨｚの周波数成分を分離して負荷装置１４−３に対する制御信号を受信し、制御器３３により、制御信号の受信タイミングから０．２秒遅いタイミングで、切替器３４を「閉」に制御する。
【００２９】
図５は、電源供給開始時の電圧・電流変化の様子を示している。電源投入が指示され、信号重畳装置１２から各負荷制御装置１３に制御信号が送信されることで、電源投入が開始される。上記動作により、負荷制御装置１３−１は、電源投入から遅延なしで負荷装置１４−１に対する電源供給を開始する。また、負荷制御装置１３−２は、電源投入から０．１秒遅れて負荷装置１４−２に対する電源供給を開始し、負荷制御装置１３−３は、電源投入から０．２秒遅れて負荷装置１４−３に対する電源供給を開始する。各負荷装置１４では、電源供給開始直後に突入電流が流れて、一時的に大きな電流が流れるが、各制御信号にて指定するタイマによる遅延時間を負荷装置１４ごとに異なる値とすることで、電源投入タイミングがずらされ、電流のピークが重ならない。このため、電源供給線１５の電圧は、電源投入直後に、大きく低下することはない。
【００３０】
本実施形態では、信号重畳装置１２により、各負荷装置１４に対応した周波数の搬送波を、各負荷装置１４に対する制御信号で変調したものを電源供給線１５に重畳する。各負荷制御装置１３は、電源供給線１５から、制御対象の負荷装置１４に対応した周波数成分を分離し、これを復調することで、負荷装置１４に対する制御信号を受信し、電源供給の開始／停止を行う。負荷制御装置１３は、電源供給を開始する際には、制御信号に含まれる遅延時間だけ、電源供給開始タイミングを遅らす。各負荷装置１４に対する制御信号にて、負荷装置ごとに、異なる遅延時間を指定することで、複数の負荷装置１４への電源供給開始タイミングをずらすことができ、電源投入時の突入電流のピークタイミングをずらすことで、電源装置１１が生成する電源電圧が急激に低下する事態を防ぐことができ、電源装置１１及び負荷装置１４の安定運用が可能となる。
【００３１】
また、本実施形態では、制御器３３内のタイマによる遅延時間を指定する情報を、制御信号に含ませている。このようにすることで、複数の負荷装置１４への電源供給開始に際して、電源供給開始タイミングをフレキシブルに設定できる。すなわち、例えば、負荷装置１４−１と負荷装置１４−２との２つの負荷装置に対して電源供給を開始する際に、負荷装置１４−２に対して、「遅延時間：０．１秒」を設定できると共に、負荷装置１４−２と負荷装置１４−３との２つの負荷装置に対して電源供給を開始する際に、負荷装置１４−２に対して、「遅延時間：なし」を設定できる。複数の負荷装置１４に対して、個別に電源制御を行う場合、常に、複数の負荷装置１４に対して同時に電源供給が開始されるとは限らない。制御信号に、遅延時間を指定する情報を含ませることで、同時に電源供給を開始する負荷装置１４の台数や組合せに応じた遅延時間設定が可能となる。
【００３２】
なお、上記実施形態では、複数の負荷装置１４に対して、電源供給タイミングを相互にずらす旨を説明したが、複数の負荷装置１４に対する電源供給タイミングを全てずらす必要はない。すなわち、負荷装置１４の電源投入時の突入電流が小さいときには、同じタイミングで電源供給を開始したとしても、電源電圧の低下にはつながらないため、そのような負荷装置１４については、制御信号にて指定する遅延時間を同じ時間に設定して、同じタイミングで電源供給を開始してもよい。この場合でも、同じタイミングで電源供給が開始される負荷装置１４による突入電流のピークが、電源電圧の急激な低下を引き起こさない程度であれば、電源装置１１及び負荷装置１４の安定動作には問題がない。
【００３３】
また、上記実施形態では、制御信号に、遅延時間を指定する情報を含めたが、制御器３３でのタイマによる遅延時間の指定は、制御信号以外によって行ってもよい。例えば、事前に、負荷制御装置１３−１に対して「遅延時間：０秒」を設定し、負荷制御装置１３−２に対して「遅延時間：０．１秒」を設定し、負荷制御装置１３−３に対して「遅延時間０．２秒」を設定してもよい。この設定は、システム準備時において、外部ツールにより、或いは、局所的に与えるなど、任意の方法により、与えることができる。この場合には、制御信号は、切替器３４の開閉に関する情報を含んでいればよい。
【００３４】
以上、本発明をその好適な実施形態に基づいて説明したが、本発明の電源制御装置及び方法は、上記実施形態にのみ限定されるものではなく、上記実施形態の構成から種々の修正及び変更を施したものも、本発明の範囲に含まれる。
【図面の簡単な説明】
【００３５】
【図１】本発明の一実施形態の電源制御装置の構成を示すブロック図。
【図２】信号重畳装置の構成を示すブロック図。
【図３】負荷制御装置の構成を示すブロック図。
【図４】電源供給線を伝播する信号の周波数スペクトルを示すスペクトル図。
【図５】電源供給開始時の電圧・電流変化の様子を示すタイミングチャート。
【図６】特許文献２に記載の電子装置の構成を示すブロック図。
【図７】従来の電源制御方式での電圧・電流変化の様子を示すタイミングチャート。
【符号の説明】
【００３６】
１１：電源装置
１２：信号重畳装置
１３：負荷制御装置
１４：負荷装置
１５：電源供給線
２１：重畳器
２２：変調器
２３：制御信号生成器
３１：信号分配器
３２：信号受信器
３３：制御器
３４：切替器
【図１】
2008252961.tif 000003
【図２】
2008252961.tif 000004
【図３】
2008252961.tif 000005
【図４】
2008252961.tif 000006
【図５】
2008252961.tif 000007
【図６】
2008252961.tif 000008
【図７】
2008252961.tif 000009